(57)【特許請求の範囲】
【請求項１】
多段に積重されたコンテナ列を横方向に整列配置したコンテナの上段の上面端縁部に敷設された上部走行レールと、コンテナ列の中間部のコンテナ下部に敷設された中間走行レールを設けたコンテナ装置と、走行レールに沿って走行し、コンテナ幅と同一間隔で設けられた縦ガイドレールと、縦ガイドレールに沿って昇降する荷台を有する昇降サドルと、縦ガイドレールの上部に設けられ、上部走行レールに沿って走行する上部走行用ローラを備えた走行用サドルと、中間レールに沿ってガイドするガイドローラと、昇降サドルを昇降する巻上装置と、上部走行レールおよび中間走行レールをコンテナの隅部に設けたコンテナ支持用ブロックの開孔部に固設するクランプ手段を設けたことを特徴とする多段積重型コンテナ用昇降装置。
【請求項２】
上部走行レールおよび中間走行レールをコンテナ単位に設け、横方向に連結具により連結したことを特徴とする請求項１記載の多段積重型コンテナ用昇降装置。
【発明の詳細な説明】
【０００１】
【発明の属する技術分野】
本発明は、多段に積重され、横方向に整列配置されたコンテナに荷物を搬入、搬出するために用いる昇降装置に関するもので、多段に積重されたコンテナに昇降装置を横方向に移動するガイドレールを設け、ガイドレールに沿って昇降装置を横行可能に装架した多段積重型コンテナ用昇降装置に関するものである。
【０００２】
【従来の技術】
近年コンテナは簡易な荷物の収容設備として多用されてきており、とくに、設置スペースを効率的に活用するため、コンテナを多段かつ横方向に横設した多段積重型コンテナが用いられるようになってきている。これら多段積重型コンテナにおいては、コンテナに荷物を搬入、搬出するため階段付作業台車が使用されており、荷物を階段により昇降するため、昇降作業時に多くの時間を必要とし、また作業時においては荷物の落下事故等が生ずる危険性も高く、効率的に、かつ安全、確実にコンテンに荷物を搬入、搬出できる装置の開発が要請されてきている。
【０００３】
【発明が解決しようとする課題】
本発明は多段積重型コンテナにおいて、荷物を効率的に、かつ安全、確実に所定位置に搬入、搬出でき、かつ、専用の走行レール架台等の施工も必要とせず、増設、移設も可能なコンテナ用昇降装置を提供することを目的とするものである。
【０００４】
【課題を解決するための手段】
上記の課題を解決するため本発明は、多段に積重されたコンテナを横方向に整列配置したコンテナの上段の上面端縁に上部走行レールを、コンテナ列の中間部のコンテナ下部に中間走行レールを敷設し、走行レールに沿って横方向に走行しコンテナ幅と同一間隔で設けられた縦ガイドレールと、縦ガイドレールに沿って昇降する荷台を有する昇降用サドルと、縦ガイドレールの上部に設けられ、上部走行レールに沿って走行する上部走行用ローラを備えた走行用サドル、中間レールに沿って走行するガイドローラと、昇降サドルを昇降する電気チェーンブロックを設けたことを特徴とする多段積重型コンテナ用昇降装置である。本発明によれば、昇降装置を走行レールに沿って所定位置まで移動し、電気チェーンブロックにより荷台を所定段まで昇降させることにより、コンテナに荷物の搬入、搬出を行うので、荷物の搬入・搬出を短時間に、かつ安全、確実に行うことができ、さらに、昇降装置を直接コンテナに取り付けることにより、専用の走行レール用架台の施工を必要としないため、省スペース化を可能とし、さらにコンテナの増設、移設に対応することが可能となる。
【０００５】
以下、本発明の実施の形態について図面に基づいて説明する。
【０００６】
【発明の実施の形態】
本発明の請求項１に記載の発明は、多段に積重されたコンテナ列を横方向に整列配置したコンテナの上段の上面端縁部に敷設された上部走行レールと、コンテナ列の中間部のコンテナ下部に敷設された中間走行レールを設けたコンテナ装置と、走行レールに沿って走行し、コンテナ幅と同一間隔で設けられた縦ガイドレールと、縦ガイドレールに沿って昇降する荷台を有する昇降サドルと、縦ガイドレールの上部に設けられ、上部走行レールに沿って走行する上部走行用ローラを備えた走行用サドルと、中間レールに沿ってガイドするガイドローラと、昇降サドルを昇降する巻上装置と、上部走行レールおよび中間走行レールをコンテナの隅部に設けたコンテナ支持用ブロックの開孔部に固設するクランプ手段を設けたことを特徴とする多段積重型コンテナ用昇降装置であり、昇降装置を走行レールに沿って所定位置まで移動し、電気チェーンブロックにより所定段まで荷台を昇降させることにより、コンテナに荷物を短時間に、かつ安全確実に搬入、搬出を行うことができ、さらに、昇降装置を直接コンテナに取り付けることにより専用の走行レール用架台の施工を必要としないため、省スペース化を可能とするとともに、走行レール固着手段を別途設ける必要がないため、省コストの昇降装置を提供できる作用を有する。
【０００９】
請求項２に記載の発明、上部走行レールおよび中間走行レールをコンテナ単位に設け、横方向に連結具により連結したことを特徴とするものであり、請求項２記載の発明が有する作用に加えて、コンテナの増設、移設に容易に対応できる作用を有する。
【００１０】
図１は本発明のコンテナ用昇降装置を示す正面図、図２は側面図、図３〜図１０は各要部を示す図である。
図において、１は横方向に水平に整列配置されかつ２段以上多段に積重されているコンテナ、２はコンテナ１の上段の上面端縁部に敷設された工型上部走行レール、３は積重されたコンテナ間でコンテナ下部に敷設された中間走行レール、４は昇降装置、５は昇降装置の上部に設けられた電気チェーンブロック、６はチェーン６ａはチェーンエンド、７ａは昇降装置の荷台、７ｂは昇降用サドル、８ａは走行用サドル、８ｂは上部横フレーム、８ｃは中間部横フレーム、９は縦フレーム、９ａは縦ガイドレール、１０は給電用トロリー、１１は上部走行用ローラ、１１ａは工型上部走行レール２の側面に沿って走行する走行ガイドローラ、１２はローラ受け、１３はガイドローラ、１４ａは縦ガイドレール９ａの側面に沿って走行する昇降用ガイドローラ、１４ｂはレールの鍔部間に跨嵌される昇降用ガイドローラ、１５はアイドルシーブ、１６はレールベース、１６ａ、１６ｂはレールベースの支持プレート、１７はクランプ、１８は位置決めプレート、１９はコンテナの隅部に設けられ、上面および側面に開孔部を有する支持用ブロック、１９ａは支持用ブロック１９の上面開孔部、１９ｂは側面開孔部、１９ｃは正面開孔部、２０はストッパー、２１は連結金具、２２は走行用車輪である。
【００１１】
上部走行レール２は２段以上、多段に積重されているコンテナ１の上面端縁部に幅方向に敷設されている。図６に示すように、コンテナ１の４隅部に設けたブロック１９の上面開孔部１９ａの内側に位置決めプレート１８を装着し、位置決めプレート１８に貫設されたクランプ１７によって、上面開孔部１９ａの上部に設けたレールベース１６の支持プレート１６ａを固着することによって、レール２はコンテナの上面端縁部に幅方向に固設される。なお、レール２は図６に示すように、各コンテナ単位でレールベース１６上に固設され、連結金具２１によって幅方向に連結される。
【００１２】
上部走行レール２と同様に積重されたコンテナの略中間部には、中間走行レール３が設けられる。中間走行レール３はコンテナ四隅部に設けたブロック１９の側面開孔部１９ｂに、レールベース支持プレート１６ｂをクランプ１７で固着することにより設置され、上部走行レールと同様に、各コンテナ単位でレールベース支持プレート１６ｂにより回設され、連結金具２１によって幅方向に連結される。
【００１３】
昇降装置４はコンテナ幅と同一間隔で設けられた縦フレーム９と、縦フレーム９に沿って設けられた縦ガイドレール９ａと、縦フレーム９の上端部に横方向に設けられた走行用サドル８ａと、縦ガイドレール９ａに沿って昇降する昇降用サドル７ｂおよび荷台７ａと、荷台７ａを昇降させる電気チェーンブロック５から構成されている。走行用サドル８ａは縦フレーム９間でその上端部に横方向に設けられた横フレーム８ｂと、上部走行レール２上を走行する上部走行ローラ１１と、横フレーム８ｂ上でかつ一方の縦ガイドレール略上部に設けられた電気チェーンブロック５を有し、昇降装置４を上部走行レール２に沿って走行させる。昇降用サドル７ｂは縦ガイドレール９ａの側面とレールの鍔部間に跨嵌されて走行し、サドルをガイドする昇降用ガイドローラ１４ａ、１４ｂと、縦ガイドレール９ａ間に設けられた荷台７ａを有し、電気チェーンブロック５に装着されたチェーン６により縦ガイドレール９ａに沿って昇降するように構成されている。
【００１４】
電気チェーンブロック５に装着されたチェーン６は、図８に示すように、荷台に設けられたアイドルシーブ１５でガイドされて、チェーンエンド６ａは他方の縦ガイドレール９の上端に設けた支持具に係着されており、チェーン６を上下動することにより、荷台８ａを昇降するように構成されている。
【００１５】
縦フレーム９が中間走行レール３と交差する位置には、縦フレーム９を跨いで横フレーム８ｃが横設されており、横フレーム８ｃには、中間走行レール３に沿って昇降装置４をガイドするガイドローラ１３が設けられている。２０はストッパーでコンテナの支持用ブロック１９に設けた正面開孔部１９ｃに挿脱可能に縦フレーム９の端部に設置される。なお、図１０は縦フレーム９の端部に設置した例を示す。
【００１６】
次に、本発明の昇降装置の動作について説明する。
図１に示されている通り、多段の積重され横方向に整列して横設されたコンテナ１のうち、荷物を搬出、入する所定コンテナが積重されているコンテナ列に昇降装置４を移動する。この移動動作は、図示しないモーター等の駆動手段により上部走行用ローラーを駆動することにより移動することも出来るし、また、駆動手段を設けず、手動により昇降装置を押動して、所定位置に移動することも出来る。
【００１７】
昇降装置は上部走行レール２と中間走行レール３にガイドされて移動する。
次に、昇降装置が所定位置に停止すると、操作ボタン等を操作し一方の縦ガイドレール９ａの上部に設けた電気チェーンブロック５を作動する。電気チェーンブロック５が作動すると、チェーン６が巻き上げ、または巻き戻されるが、チェーンエンド６ａは電気チェーンブロック５が設置されている縦ガイドレールに並設されている他方の縦ガイドレール９ａの上端に係止されているため、チェーンの昇降により、荷台７ａに設けられたアイドルシーブ１５を介して、昇降用サドル７ｂを縦ガイドレール９ａに沿って昇降させる。この時、昇降装置は昇降用サドル７ｂに設けられ、縦ガイドレール９ａの側面に沿って昇降する昇降用ガイドローラ１４ａとレールの鍔部間に跨嵌される昇降用ガイドローラ１４ｂによって、縦ガイドレール９ａに沿って昇降する。
【００１８】
上記した通り、本発明は、多段に積重されたコンテナ１を横方向に整列配置したコンテナの上段の上面端縁に上部走行レール２を、コンテナ列の中間部のコンテナ下部に中間走行レール３を敷設し、走行レール２、３に沿って横方向に走行し、コンテナ幅と同一間隔で設けられた縦ガイドレール９ａと、縦ガイドレール９ａに沿って昇降する荷台７ａを有する昇降用サドル７ｂと、縦ガイドレール９ａの上部に設けられ、上部走行レール２に沿って走行する上部走行用ローラ１１を備えた走行用サドル８ａと、中間レール３に沿って走行をガイドするガイドローラ１３と、昇降用サドル７ｂを昇降する電気チェーンブロック５を設けことを特徴とする多段積重型コンテナの昇降装置であり、昇降装置を走行レールに沿って所定位置まで移動し、電気チェーンブロックにより所定段まで荷台を昇降させることにより、所定のコンテナに荷物を短時間にかつ安全、確実に搬入、搬出でき、さらに、昇降装置を直接コンテナに取り付けることにより、専用の走行レール用架台の施工を必要としないため、省スペース化を可能とし、さらにコンテナの増設、移設に対応可能である。
【００１９】
図９は本発明の他の実施の形態で、上記実施の形態において装備している中間走行レールを設けず、これに代えて縦フレーム９の下端の接地部に走行用車輪２２を設け、上部走行用ローラ１１と下部走行用車輪２２により昇降装置を走行するように構成したものである。この構成とすることによって、装置全体を一層簡単な構成とし、コンテナの増設、移設にも容易に対応可能となる。
【００２０】
【発明の効果】
以上詳記した通り、本発明によれば、昇降装置を走行レールに沿って所定位置まで移動し、電気チェーンブロックにより所定段まで荷台を昇降させることにより、荷物の搬入、搬出を短時間にかつ安全、確実に行うことができ、さらに、昇降装置を直接コンテナに取り付けることにより、専用の走行レール用架台の施工を必要としないため、省スペース化を可能とし、さらにコンテナの増設、移設に容易に対応できる効果を有する。
【図面の簡単な説明】
【図１】本発明の昇降装置の全体を示す正面図である。
【図２】図１の側面図である。
【図３】図１の昇降装置の正面図である。
【図４】昇降装置の上部拡大側面図である。
【図５】中間走行レール部の拡大側面図である。
【図６】上部走行レールの接続部の拡大正面図である。
【図７】中間走行レールの接続部の拡大正面図である。
【図８】電気チェーンブロック装置の拡大正面図である。
【図９】他の実施の形態を示す正面図である。
【図１０】ストッパーの取付状態を示す部分拡大図である。
【符号の説明】
１  コンテナ
２  上部走行レール
３  中間走行レール
４  昇降装置
５  電気チェーンブロック
６  チェーン
６ａ  チェーンエンド
７ａ  荷台
７ｂ  昇降用サドル
８ａ  走行用サドル
８ｂ、ｃ  横フレーム
９  縦フレーム
９ａ  縦ガイドレール
１０  給電用トロリー
１１  上部走行用ローラ
１１ａ  走行ガイドローラ
１２  ローラ受け
１３  ガイドローラ
１４ａ、ｂ昇降用ガイドローラ
１５  アイドルシーブ
１６  レールベース
１６ａ、ｂ  支持プレート
１７  クランプ
１８  位置決めプレート
１９  支持用ブロック
１９ａ  上面開孔部
１９ｂ  側面開孔部
１９ｃ  正面開孔部
２０  ストッパー
２１  連結金具
２２  走行用車輪
【図１】
0003785006.tif 000002
【図２】
0003785006.tif 000003
【図３】
0003785006.tif 000004
【図４】
0003785006.tif 000005
【図５】
0003785006.tif 000006
【図６】
0003785006.tif 000007
【図７】
0003785006.tif 000008
【図８】
0003785006.tif 000009
【図９】
0003785006.tif 000010
【図１０】
0003785006.tif 000011